(57)【要約】  【課題】    設置に便利で安全性が高い自動車用バッテリターミナルの固定構造の提供。  【解決手段】    本考案の自動車用バッテリターミナルの固定構造は、固定ボルト及びナットから構成され、そのうち、該固定ボルトの内部はバッテリターミナルと同じ形状に作成され、その内径はバッテリターミナルよりやや小さく、固定ボルト外側の壁面にネジ山を形成し、且つ、固定ボルト内側壁面に該外側壁面のネジ山と逆方向のネジ山を設け、固定ボルト下方の開口部周縁に数本の溝部を形成し、固定ボルト外部上方に延伸ボルトを設け、該固定ボルトをバッテリターミナル上に装着した後、該固定ボルト上方からナットを螺合し、バッテリターミナル上に固定する。  【選択図】    図２
0003108302.tif 000002
【実用新案登録請求の範囲】
【請求項１】
自動車用バッテリターミナルの固定構造であって、自動車のバッテリ上方に設置され、自動車電器システムの端子と相互に接続して固定する構造であり、固定ボルト及びナットから構成され、そのうち、該固定ボルト内部はバッテリターミナルと同じ形状に形成され、その内径はバッテリターミナルよりやや小さく、該固定ボルト外側壁面にネジ山を設け、該固定ボルトの内側壁面は外側壁面に設けた該ネジ山と逆方向のネジ山を設けるか、ネジ山のない型式とし、且つ、該固定ボルト下方の開口部周縁に数本の溝部を開設し、該固定ボルト外部上方に延伸ボルトを設け、該固定ボルトをバッテリターミナル上に装着した後、該固定ボルト上方からナットを螺合し、バッテリターミナル上に固定することを特徴とする、自動車用バッテリターミナルの固定構造。
【請求項２】
自動車用バッテリターミナルの固定構造であって、自動車のバッテリ上方に設置され、自動車電器システムの端子と相互に接続して固定する構造であり、固定ボルト及びナットから構成され、そのうち、該固定ボルト内部はバッテリターミナルと同じ形状に形成され、その内径はバッテリターミナルよりやや小さく、該固定ボルト外側壁面にネジ山を設け、該固定ボルトの内側壁面は外側壁面に設けた該ネジ山と逆方向のネジ山を設けるか、ネジ山のない型式とし、且つ、該固定ボルト下方の開口部周縁に数本の溝部を開設し、該固定ボルト外側壁面に外方向へ延伸して接続板を設け、該接続板の末端に延伸ボルトを形成し、該固定ボルトをバッテリターミナル上に装着した後、該固定ボルト上方からナットを螺合し、バッテリターミナル上に固定することを特徴とする、自動車用バッテリターミナルの固定構造。
【請求項３】
前記のうち、該固定ボルト内側壁面がネジ山のない型式である、請求項１または２に記載の自動車用バッテリターミナルの固定構造。
【考案の詳細な説明】
【技術分野】
【０００１】
本考案は、自動車用バッテリターミナルの固定構造に関し、特に、自動車のバッテリターミナル上に設置され、自動車電器システムの端子と相互に接続して固定される、自動車用バッテリターミナルの固定構造に関する。
【背景技術】
【０００２】
図１に示すように、従来の自動車用バッテリターミナルの構造は、内部の負、正極板と相互に接続され、バッテリ内部の化学変化により車両が必要とする電流が放出され、ターミナルの固定構造を介し車両の電器システム端子と相互に接続して通電を行う。自動車バッテリaに用いられるターミナルa１はほとんどが円柱状であり、固定リングbとターミナルa１を固定し、車両の電器システム端子と接続して固定することができるものが一般的である。該固定リングbは略O字形を呈し、且つ切欠口b１を備え、その内径は円柱状のターミナルa１よりやや小さく、該切欠口b１の両側に大きさが同じ固定片b２が突出してそれぞれ設けられ、該固定片b２の中心にネジ孔b２１が開設され、さらに固定ネジcで２つの固定片b２をバッテリのターミナルa１を挟んで固定する。
【０００３】
このような従来の構造は、設置時にしっかりとネジ止めができなかったり、自動車が進行している間に緩みが発生したりすることがよくあり、蓄電ができなくなるだけでなく、火花を発生することもある。また、自動車用バッテリは蓄電池の構造であるため、バッテリの充電完了後さらに過充電されると、電解液内部の水が電気分解され、その結果、正極部分では酸素が、負極部分では水素が発生し、これらの気体は外部に放出され、固定リング構造が確実に固定されていない場合、車両の進行時に車体が絶え間なく揺れるため、バッテリのターミナル箇所で火花が発生し、バッテリの爆発が発生する可能性があり、改善が必要である。
【考案の開示】
【考案が解決しようとする課題】
【０００４】
本考案は、上述の従来構造の欠点に鏡みて、考案者の該項事業における長年の経験に基づき研究を重ね、斬新な自動車用バッテリターミナルの固定構造を提供するものである。
【０００５】
本考案の主な目的は、設置に便利で安全性が高いバッテリターミナルの固定構造を提供することにある。
【課題を解決するための手段】
【０００６】
上述の目的を達するため、本考案の自動車用バッテリターミナルの固定構造は、固定ボルト及びナットから構成され、そのうち、該固定ボルトの内部はバッテリターミナルと同じ形状に作成され、その内径はバッテリターミナルよりやや小さく、固定ボルト外側の壁面にネジ山を形成し、且つ、固定ボルト内側壁面に該外側壁面のネジ山と逆方向のネジ山を設け、固定ボルト下方の開口部周縁に数本の溝部を形成し、固定ボルト外部上方に延伸ボルトを設ける。      
【考案の効果】
【０００７】
上述の構造の使用時には、固定ボルトをバッテリターミナル上に設置し、固定ボルト内側壁面にはネジ山があり、下方の開口部には４本の溝部があると共に、バッテリターミナルは略円錐錐状を呈しているため、固定ボルトがバッテリターミナル底部に近づけば近づくほど、その底部が若干開かれ、固定ボルト内側壁面のネジ山が鉛製のバッテリターミナルを締め付け、ナットを固定ボルト上に固定することで、迅速且つ簡単に開いた固定ボルトを緊密にバッテリターミナルに固定することができる。また、バッテリターミナルとこの固定ボルト及びナットから成る固定構造間は緊密に接触しており、且つ、その接触面が固定ボルト内部に覆われているため、火花の発生を減らすことができるだけでなく、火花とバッテリが発生する気体が接触することによる爆発の発生を回避することができ、安全性が向上される。さらに、バッテリターミナルの酸化を防ぐこともできるため、バッテリターミナルの寿命を延長する効果もある。    
【考案を実施するための最良の形態】
【０００８】
本考案の構造、装置及びその特徴について、以下最良の実施例と図面に基づき、詳細に説明する。
【実施例１】
【０００９】
図２、図３、図４に示すように、本考案の自動車用バッテリターミナルの固定構造は、固定ボルト１０及びナット２０から構成され、そのうち、該固定ボルト１０内部はバッテリターミナル２と同じ形状に形成し、その内径はバッテリターミナル２よりやや小さく、固定ボルト１０の外側壁面にネジ山１１を設け、該固定ボルト１０の内側壁面は外側壁面に設けた該ネジ山１１と逆方向のネジ山１２を設けるか、ネジ山のない型式とし、且つ、固定ボルト１０下方の開口部周縁に数本の溝部１３を開設し、該固定ボルト１０外部の上方に延伸ボルト１4を設け、該延伸ボルト１4は自動車電器システムの端子３に装着され、固定ナット１５でネジ止めされる。さらに、該固定ボルト１０をバッテリターミナル２上に装着した後、ナット２０で該固定ボルト１０を固定する。
【実施例２】
【００１０】
本考案は、さらに、前述の構造と同じ効果を有しながら、全体の高さを低くすることもでき、図５、図６、図７に示すように、該自動車用バッテリターミナルの固定構造は、同様に固定ボルト１０及びナット２０から構成され、そのうち、該固定ボルト１０内部はバッテリターミナル２と同じ形状に形成され、その内径はバッテリターミナル２よりやや小さく、該固定ボルト１０の外側壁面にネジ山１１を設け、該固定ボルト１０の内側壁面は、該外側壁面に設けたネジ山１１と逆方向のネジ山１２を設けるか、ネジ山のない型式とし、且つ、該固定ボルト１０下方の開口部周縁に数本の溝部１３を開設し、該固定ボルト１０外側壁面を外側へ向かって延伸して接続板１6を設け、該接続板１6の末端に延伸ボルト１4を形成し、該延伸ボルト１4は自動車電器システムの端子３に装着され、固定ナット１５でネジ止めされる。さらに、該固定ボルト１０をバッテリターミナル２上に装着した後、ナット２０で該固定ボルト１０を固定する。この構造により、元のバッテリターミナルに固定ボルトを装着した後、その高さが高すぎて直接エンジンカバーに接触してしまい、車内電器の破損につながるという状況の発生を回避することができる。
【００１１】
上述のように、本考案の自動車用バッテリターミナルの固定構造は、固定ボルト内壁のネジ山とバッテリのターミナルを螺合した後、外壁にナットを螺合して固定し、さらに自動車電器システムの端子を固定ボルトの延伸ボルト上に固定することで、確実且つ簡単に装着でき、且つ安全性が大きく向上される。本考案は実用性と進歩性を兼ね備えており、ここに特許法の規定に基づき、実用新案登録の出願をするものである。
【図面の簡単な説明】
【００１２】
【図１】従来のターミナルの固定構造を示す立体図である。
【図２】本考案の実施例１の立体分解図である。
【図３】本考案とバッテリターミナルを組み立てた状態を示す側面断面図（一）である。
【図４】本考案とターミナルを組み立てた状態を示す側面断面図（二）である。
【図５】本考案の実施例２を示す立体分解図である。
【図６】本考案の実施例２とバッテリターミナルを組み立てた状態を示す側面断面図（一）である。
【図７】本考案の実施例２とバッテリターミナルを組み立てた状態を示す側面断面図（二）である。
【符号の説明】
【００１３】
１      固定構造      
２      バッテリターミナル
３      端子      
１０    固定ボルト
１１、１２    ネジ山
１３    溝部
１４    延伸ボルト
１５    固定ナット
１６    接続板
２０    ナット
【図１】
0003108302.tif 000003
【図２】
0003108302.tif 000004
【図３】
0003108302.tif 000005
【図４】
0003108302.tif 000006
【図５】
0003108302.tif 000007
【図６】
0003108302.tif 000008
【図７】
0003108302.tif 000009